(57)【要約】【課題】  インキプロフィールの現在値をチェックしつつ、即座に所望の新しいインキプロフィールを実現すべく指示を出せるようにする。【解決手段】  分割されたインキゾーン毎のインキ供給量を表示するバーグラフ部（２）を有する基板（１）と、この基板（１）を被覆する透過性のタッチパネル（４）と、このタッチパネル（４）に対する押圧位置座標を受けて、インキ装置（１６）に制御信号を送出する制御手段（１５）と、を有する枚葉印刷機のインキ供給制御装置である。【選択図】  図１
2005047143.tif 000002
【特許請求の範囲】
【請求項１】
分割されたインキゾーン毎のインキ供給量を表示するバーグラフ部（２）を有する基板（１）と、該基板（１）を被覆する透過性のタッチパネル（４）と、該タッチパネル（４）に対する押圧位置座標を受けて、インキ装置（１６）に制御信号を送出する制御手段（１５）と、を有する枚葉印刷機のインキ供給制御装置。
【発明の詳細な説明】
【技術分野】
【０００１】
本発明は、枚葉印刷機に関し、特に、そのインキ供給制御装置に関する。
【背景技術】
【０００２】
定形のシートに多色刷りを施す枚葉印刷機にあっては、オフセット印刷技術が用いられることが多い。このオフセット印刷は、版胴に巻回された刷版にインキ及び湿し水を供給し、両者の相互反発性を利用して絵柄を形成した上で、一旦その絵柄をブランケット胴に転写した後、圧胴との間でシートに印刷加圧を行うものである。
【０００３】
刷版のインキ供給においては、刷版の左右方向（シートの搬送方向に直交する方向）を多数のインキゾーンに分割し、分割された各インキゾーン毎にインキの供給量を制御しており、このために、インキつぼのドクタローラとインキブレードとの隙間を調整している。
【０００４】
【特許文献１】特開平５−１９３１１７
【０００５】
この文献には、分割された各インキゾーン毎にインキ供給の増減ボタンを設け、また、各インキゾーンのインキ量の現在値を発光ダイオード列によって表示するバーグラフを設け、更に、何らかの理由でインキプロフィール（全インキゾーンを通しての、インキ供給の状況）を変化させたい場合に備えて、当初のインキプロフィールに加えて、調整後のインキプロフィールをも並行して表示するモニタを備えたインキ供給制御装置が開示されている。
【発明の開示】
【発明が解決しようとする課題】
【０００６】
上記の従来技術は、各インキゾーンの現在値を表示した発光ダイオード列によるバーグラフをオペレータが見ながら、個別のインキゾーンのインキ増減ボタンを必要に応じて押し上げることにより、当該インキゾーンのインキ供給量を局所的に調整する内容にとどまっている。
【０００７】
ところで、熟練したオペレータであればあるほど、印刷見本と見比べつつ、インキゾーン全体のインキプロフィールの現在値をチェックして、いわば直観的にインキゾーン全体にわたって即座に新たなインキプロフィールを実現すべく操作したくなるものである。
【０００８】
本発明は、上記した観点に立ってなされ、進歩したインキ供給制御装置を提供するもので、その目的は、インキプロフィールの現在値をチェックしつつ、即座に所望の新たなインキプロフィールを実現すべく指示を出せるようにすることにある。
【課題を解決するための手段】
【０００９】
そしてこのために、本発明に係るインキ供給制御装置は、分割されたインキゾーン毎のインキ供給量を表示するバーグラフ部（２）を有する基板（１）と、この基板（１）を被覆する透過性のタッチパネル（４）と、このタッチパネル（４）に対する押圧位置座標を受けて、インキ装置（１６）に制御信号を送出する制御手段（１５）と、を有することを特徴とする。
【発明の効果】
【００１０】
透過性のタッチパネル（４）を通して、基板（１）のバーグラフ部（２）は常に目視でき、オペレータはどのインキゾーンをどのように調整すべきか、非常に直観的にタッチパネル（４）を押圧指示して操作できる。タッチパネル（４）によって入力された位置情報は、制御手段（１５）により個別のインキゾーンのインキ供給量の制御信号とされてインキ装置（１６）に送られ、新しいインキプロフィールが実現される。
【発明を実施するための最良の形態】
【００１１】
従来と同様にプリント基板として形成される基板（１）上には、バーグラフ部（２）及び数値表示部（３）が設けられる。この基板（１）から離隔したスペーサーボード（６）上に、高透過性の超音波表面弾性波方式によるタッチパネル（４）が載置されている。
オペレーションコンソール（１４）内の演算制御装置の一部が制御手段（１５）として利用され、タッチパネルから入力された押圧位置座標を受けて、インキ装置（１６）に制御信号を送出する。
【実施例】
【００１２】
以下、図面を参照して、本発明に係る枚葉印刷機のインキ供給制御装置の実施例につき説明する。
図１は、装置の入力部分の平面説明図、図２は図１の左側から視た断面説明図、図３は基板単体の平面図、図４はタッチパネルの平面説明図、図５は装置の全体的動作を示す概念説明図である。
【００１３】
装置の入力部分を構成する基板（１）は平坦なプリント基板として作成され、分割されたインキゾーン毎のインキ供給量を例えば発光ダイオード列によって示すバーグラフ部（２）と、インキ供給量を百分率によって表示するセグメント表示器による数値表示部（３）をその上に有している。
【００１４】
図２に示すように、基板（１）を保護しつつ、タッチパネル（４）を載置するため、適宜本数の支柱（５）を介してスペーサーボード（６）が対置されており、このスペーサーボード（６）のうち、基板（１）のバーグラフ部（２）及び数値表示部（３）に相当する部位はくり抜かれている。また、スペーサーボード（６）とタッチパネル（４）との間には、表示用の絵文字目盛等を記入したシート（７）を介設することとしてもよい。
【００１５】
そして、高透過性の超音波表面弾性波方式によるタッチパネル（４）がスペーサーボード（６）を介して基板（１）を被覆しており、スペーサーボード（６）の一部がくり抜かれているので、基板（１）のバーグラフ部（２）及び数値表示部（３）は表面から透視できる。
このような高透過性の超音波表面弾性波方式のタッチパネル（４）は既に市販されており、その作動原理を概説すると、タッチパネル（４）の隅のX発信子（８）／Y発信子（９）から発生した超音波表面弾性波が四辺の反射アレイ（１０）によってタッチパネル（４）本体上に行き渡り、X受信子（１１）／Ｙ受信子（１２）に戻ってくる。オペレータがタッチパネル（４）本体のある個所を指で押圧すると、その押圧によって減衰した波形がＸ受信子（１１）／Ｙ受信子（１２）によって受け取られ、Ｘ／Ｙ押圧位置座標として認識される。
従がってオペレータは、多数のバーグラフ部（２）を目視しながら、所望するインキプロフィールに従がってタッチパネル（４）を横方向になぞると個々のバーグラフ部（２）に対応するその押圧位置がインキプロフィール作成のための座標として入力されるのである。
なお、各インキゾーン毎の微調整のために、個別の増減スイッチ（１３）をタッチパネル（４）に設けることとしてもよい。
【００１６】
図５に示すように、本発明装置は、枚葉印刷機を制御するオペレーションコンソール（１４）に搭載され、このオペレーションコンソール（１４）内の演算制御装置の一部が制御手段（１５）として利用される。この制御手段（１５）は、タッチパネル（４）から入力された押圧位置座標を受けて、インキ装置（１６）に制御信号を送出し、これにより各インキゾーンのインキ供給量が変化されることとなる。
【００１７】
次に、作用についてまとめると、高透過性のタッチパネル（４）を通して、バーグラフ部（２）は常に目視でき、オペレータはインキ供給量の現在値を認識している。そして、熟練したオペレータであればある程、当該印刷ジョブについて最適と思われるインキ供給のパターンが頭に入っているので、タッチパネル（４）上でインキゾーン毎の所望ポイントを全インキゾーンにわたって押圧指示し、これにより、非常に直観的に、インキゾーン全体にわたって最適のインキプロフィールを指示できる。
そして、オペレータの押圧指示はタッチパネル（４）によってＸ／Ｙ位置座標に変換され、制御手段（１５）がインキ装置（１６）に制御信号を送出して、所望のインキプロフィールが形成されるのである。
【産業上の利用可能性】
【００１８】
本発明に係る枚葉印刷機のインキ供給制御装置は、非常に簡便な入力操作で、新たなインキプロフィールを直観的に、かつ、即座に実現できる。
【図面の簡単な説明】
【００１９】
【図１】本発明に係る枚葉印刷機のインキ供給制御装置の、特に入力部分の一実施例を示す平面説明図である。
【図２】図１の左側から視た断面説明図である。
【図３】基板単体の平面図である。
【図４】タッチパネルの平面説明図である。
【図５】装置の全体的動作を示す概念説明図である。
【符号の説明】
【００２０】
１        基板
２        バーグラフ部
３        数値表示部
４        タッチパネル
６        スペーサーボード
１５      制御手段
１６      インキ装置
【図１】
2005047143.tif 000003
【図２】
2005047143.tif 000004
【図３】
2005047143.tif 000005
【図４】
2005047143.tif 000006
【図５】
2005047143.tif 000007